(57)【特許請求の範囲】
【請求項１】
伝送された信号をアンテナを介して受信する選局手段と、前記選局手段で選局された信号が処理されて得られるベースバンド復調信号からトランスポート・ストリーム・パケット信号を得るデジタル符号化復調手段とを備えたデジタル放送受信装置において、
前記選局手段を制御するためのＡＧＣ信号βと、前記デジタル符号化復調手段からデジタル符号化と誤り訂正により復調され且つパケット化された信号の良否を計測するエラーパケット数αの信号との２つの信号を用いて、前記ＡＧＣ信号βについては下記式（１）の関数ｇ（β）として、前記エラーパケット数αについては下記表（１）に示される関数ｆ（α）として、前記伝送された信号の受信状態を評価する評価手段と、前記評価手段による評価結果を１つのシグナルレベルとして表示する表示手段とを備えることを特徴とするデジタル放送受信装置。
【表１】
0003682198.tif 000004
式（１）  ｇ（β）＝β／（βｍａｘ−βｍｉｎ）×定数
【請求項２】
前記評価手段は前記ＡＧＣ信号βについての関数ｇ（β）と前記エラーパケット数αについての関数ｆ（α）とを下記式（２）で表される評価関数Ｈ（γ）によって評価し、前記表示手段は前記線形和の一次元配置を前記１つのシグナルレベルとして表示することを特徴とする請求項１に記載のデジタル放送受信装置。
式（２）  Ｈ（γ）＝Ｈ（ｆ（α），ｇ（β））＝ｆ（α）×定数＋ｇ（β）
【請求項３】
前記評価手段は前記ＡＧＣ信号βについての関数ｇ（β）と前記エラーパケット数信号αについての関数ｆ（α）とを別々に評価し、それぞれの前記評価結果を前記表示手段に伝え、前記表示手段において前記各評価結果を用いて成る相関を持つ二次元配置を前記１つのシグナルレベルとして表示することを特徴とする請求項１に記載のデジタル放送受信装置。
【発明の詳細な説明】
【０００１】
【発明の属する技術分野】
本発明は、映像信号、音声信号及びデータ信号、あるいは各々個別の信号、あるいは各々の組み合わせによる信号と、それに付随する情報信号を誤り訂正符号を付加して符号化変調し伝送するデジタル放送システムに用いられ、伝送経路を経て受信装置に入力した信号を用いて、デジタル信号を受信するのに適したアンテナ位置を決定するためにシグナルレベルの表示を改良することを可能にするデジタル放送受信装置に関する。
【０００２】
【従来の技術】
一般に放送受信装置では、放送受信時にアンテナを最適な方向に合せる必要がある。
【０００３】
従来のアナログ方式の放送受信装置では、受信装置の選局部に位置するＡＧＣ（Ａｕｔｏｍａｔｉｃ  Ｇａｉｎ  Ｃｏｎｔｒｏｌ）手段の電圧より信号強度を算出し、算出した信号強度をシグナルレベルとして表示することにより、その値がピークを示す方向を目安に電界強度の高い位置としてアンテナの方向を調整している。
【０００４】
しかしながら、デジタル方式の受信装置では、このＡＧＣ手段の電圧から算出された信号強度をピークとするようにアンテナの方向を決定しても、確かに電界強度としては高い方向に調整されながらも、例えば多重路からの信号をアンテナより受信している場合などには逆にデジタル信号としての復調に適さない方向に調整される場合がある、という問題が生じる。
【０００５】
この問題の解決には、デジタル信号の伝送誤りを検出し、誤り率を用いて復調手段を制御しながらシグナルレベルを表示するという提案がなされている（特開平９−３２６９６７号公報参照）。
【０００６】
加えて、デジタル信号の伝送誤りを検出し誤り率から信号品位に変換後の値と、入力電界強度値またはＡＧＣ電圧に基づいた入力レベル値の２つをシグナル表示するという提案がなされている（特開平１０−２８０６５公報参照）。
【０００７】
さらに、デジタル符号化復調手段における復号化及び誤り訂正処理により伝送誤りを評価するには、デジタル信号のビットエラーレートを用いた誤り率を用いる以外に、ＴＳ（Ｔｒａｎｓｐｏｒｔ  Ｓｔｒｅａｍ：トランスポート・ストリーム）パケット化されたパケット単位でのデジタル信号の良否を数計測しエラーパケット数信号として評価する方法が考えられる。しかしながら、この評価方法では、ＡＧＣ手段からの信号によるシグナルレベルの表示によれば短い時間間隔をもって評価可能なのに比べて、エラーパケット数信号によるシグナルレベルの表示には十分に長い時間間隔（例えば数秒）を必要とするため、アンテナの方向調整時にはアンテナを特定位置に保持し続けなければならない。
【０００８】
【発明が解決しようとする課題】
本発明では、上記の問題を考慮して、復調手段への制御を行うことなく、ＡＧＣ信号とエラーパケット信号を評価することにより、２シグナル表示を見ながら方向調整すると言う煩雑性を解消し、１つのシグナルレベルとして表示した上で、そのシグナル表示のピーク値が示す方向をデジタル信号としての復調に適した方向として、アンテナの方向をタイムリーに決定できるデジタル放送受信装置を提供することを目的とするものである。
【０００９】
【課題を解決するための手段】
本発明によるデジタル放送受信装置は、伝送された信号をアンテナを介して受信する選局手段と、前記選局手段で選局された信号が処理されて得られるベースバンド復調信号からトランスポート・ストリーム・パケット信号を得るデジタル符号化復調手段とを備えており、選局手段を制御するためのＡＧＣ信号βと、デジタル符号化復調手段からデジタル符号化と誤り訂正により復調され且つパケット化された信号の良否を計測するエラーパケット数αの信号との２つの信号を用いて、ＡＧＣ信号βについては下記式（１）の関数ｇ（β）として、エラーパケット数αについては下記表（１）に示される関数ｆ（α）として、前記伝送された信号の受信状態を評価する評価手段と、前記評価手段による評価結果を１つのシグナルレベルとして表示する表示手段とを備えることを特徴としている。
【表１】
0003682198.tif 000002
式（１）  ｇ（β）＝β／（βｍａｘ−βｍｉｎ）×定数
【００１０】
このデジタル放送受信装置において、評価手段はＡＧＣ信号βについての関数ｇ（β）とエラーパケット数αについての関数ｆ（α）とを下記式（２）で表される評価関数Ｈ（γ）によって評価し、表示手段は評価関数Ｈ（γ）の一次元配置を１つのシグナルレベルとして表示することができる。
式（２）  Ｈ（γ）＝Ｈ（ｆ（α），ｇ（β））＝ｆ（α）×定数＋ｇ（β）
【００１１】
更に、このデジタル放送受信装置において、評価手段はＡＧＣ信号βについての関数ｇ（β）とエラーパケット数信号αについての関数ｆ（α）とを別々に評価し、それぞれの評価結果を表示手段に伝え、表示手段において各評価結果を用いて成る相関を持つ二次元配置を１つのシグナルレベルとして表示することができる。
【００１２】
【発明の実施の形態】
本発明によるデジタル放送受信装置の実施形態を、図面を用いて説明する。図１は、本デジタル放送受信装置の一実施例を示すブロック図である。図２は中間周波信号を経ない場合の実施例を示すブロック図である。図３はシグナルレベル化の段階で相関を持つ表示位置に表示する場合の実施例を示すブロック図である。
【００１３】
図１に示すデジタル放送受信装置は、伝送された信号をアンテナを介して受信し、中間周波信号からベースバンド変調信号を得る選局手段１と、ベースバンド変調信号からベースバンド復調信号を得るベースバンド復調手段２と、ベースバンド復調信号からＴＳ（Ｔｒａｎｓｐｏｒｔ  Ｓｔｒｅａｍ）パケット信号を得るデジタル符号化復調手段３と、ベースバンド復調手段２からベースバンド変調信号に基づいて得られ選局手段１をＡＧＣ（Ａｕｔｏｍａｔｉｃ  Ｇａｉｎ  Ｃｏｎｔｒｏｌ）するＡＧＣ信号、及びデジタル符号化復調手段３からデジタル符号化と誤り訂正により復調されパケット化された信号の良否を計測したエラーパケット数信号の２つの信号を用いてアンテナ位置を評価する評価手段４と、１シグナルレベル信号として伝えられた評価結果を表示する表示手段５とから構成されている。
【００１４】
ベースバンド復調手段２から得られる選局手段１をＡＧＣするＡＧＣ信号を評価手段４に入力し、加えて、デジタル符号化復調手段３から得られるエラーパケット数信号を評価手段４に入力した上で、おのおのの信号に対し特性を考慮し重み付けを行う。
【００１５】
エラーパケット数αに対する重み付けは、次の表１に基づいて行う。
【００１６】
【表１】
0003682198.tif 000003
【００１７】
ＡＧＣ信号βに対する重み付けは、次の数式（１）に基づいて行う。
【００１８】
ｇ（β）＝β／（βｍａｘ−βｍｉｎ）×定数                    ・・・（１）
シグナルレベル信号γの評価は、次の数式（２）に基づいて行う。
【００１９】
Ｈ（γ）＝Ｈ（ｆ（α），ｇ（β））＝ｆ（α）×定数＋ｇ（β）  ・・・（２）
そして、重み付けした各々の信号を評価手段４によって１シグナルに変換し出力する。
【００２０】
図４に示すように、表示手段５は１シグナルレベルとして表示を行う。
【００２１】
図３のシステムでは、信号評価手段４によって、おのおのの信号に対し特性を考慮し重み付けを行ったのち、それぞれのシグナルレベル信号として出力する。
【００２２】
図５に示すように、表示手段５はそれぞれのシグナルレベル信号を表示する際、相関位置に表示を配することにより、片方のシグナルレベル信号の変化（エラーパケットシグナルレベル）によって表示位置を移動し、有効となった表示位置にもう片方（ＡＧＣシグナルレベル）を視覚的に１シグナルとして表示する。
【００２３】
【発明の効果】
本発明によるデジタル放送受信装置においては、評価手段が選局手段１をＡＧＣするＡＧＣ信号とエラーパケット数信号との２つのシグナルを評価し、表示手段が１シグナルレベル信号として表示することにより、１シグナルレベルのピーク値をもって最適なアンテナ位置に調整を可能とすることができる。
【００２４】
このデジタル放送受信装置において、評価手段Ｈ（γ）はＡＧＣ信号βについては上記関数ｇ（β）として、またエラーパケット数αについては上記関数ｆ（α）を用いて評価し、表示手段は評価結果の一次元配置を１つのシグナルレベルとして表示した場合には、一次元配置によって最も長くなったピーク値をもって最適なアンテナ位置に調整することができる。更に、このデジタル放送受信装置において、評価手段はＡＧＣ信号とエラーパケット数信号との２つのシグナルを別々に評価し、それぞれの評価結果を２シグナルレベル信号として表示手段に伝え、表示手段において各評価結果を用いて成る相関を持つ二次元配置を視覚的に１つのシグナルレベルとして表示し、そのピーク値をもって最適なアンテナ位置に調整を可能とすることができる。
【図面の簡単な説明】
【図１】  本発明の実施形態におけるブロック構成図である。
【図２】  同実施形態のＡＧＣ信号取得における変形例を示すブロック構成図である。
【図３】  同実施形態のシグナルレベル表示手段における変形例を示すブロック構成図である。
【図４】  １シグナルレベル信号を用いる場合の表示例を示す図である。
【図５】  ２シグナルレベル信号を用いる場合の相関表示例を示す図である。
【符号の説明】
０…アンテナ
１…チューナ回路
２…ベースバンド復調回路
３…デジタル符号化復調回路
４…マイクロコンピュータ
５…表示装置
【図１】
0003682198.tif 000005
【図２】
0003682198.tif 000006
【図３】
0003682198.tif 000007
【図４】
0003682198.tif 000008
【図５】
0003682198.tif 000009